【手続補正書】
【提出日】平成16年6月14日(2004.6.14)
【手続補正１】
【補正対象書類名】明細書
【補正対象項目名】特許請求の範囲
【補正方法】変更
【補正の内容】
【特許請求の範囲】
【請求項１】
映像データを所定のネットワークを介してクライアントに発信する映像発信装置であって、
合成に用いる第１の映像データをサーバ或いはクライアントに関連して選択する選択手段と、
撮像して得られた映像データを第２の映像データとし、当該２の映像データと前記選択手段で選択された第１の映像データとを合成する合成手段とを備え、
前記合成手段で合成して得られた映像データを前記クライアントに向けて発信することを特徴とする映像発信装置。
【請求項２】
前記選択手段は、前記クライアントに向けて、選択可能な複数の映像サンプルを一覧として転送する手段を含み、前記クライアント側で指定されたサンプル画像を選択することを特徴とする請求項第１項に記載の映像発信装置。
【請求項３】
映像データを所定のネットワークを介してクライアントに発信する映像発信装置であって、
前記クライアントとの間の通信状況を検知する検知手段と、
得られた通信状況に応じて、合成に用いる複数の画像の中の１つを選択する選択手段と、
撮像して得られた映像データを第２の映像データとし、前記選択手段で選択された第１の映像データと合成する合成手段とを備え、
前記合成手段で合成して得られた映像データを前記クライアントに向けて発信することを特徴とする映像発信装置。
【請求項４】
映像データを所定のネットワークを介してクライアントに発信する映像発信装置であって、
前記クライアントの状態を示す信号を発生する発生手段と、
得られたクライアント状態に応じて、合成に用いる複数の画像の中の１つを選択する選択手段と、
撮像して得られた映像データを第２の映像データとし、前記選択手段で選択された第１の映像データと合成する合成手段とを備え、
前記合成手段で合成して得られた映像データを前記クライアントに向けて発信することを特徴とする映像発信装置。
【請求項５】
前記クライアント状態はクライアントの位置を含むことを特徴とする請求項第４項に記載の映像発信装置。
【請求項６】
請求項第１項乃至第５項のいずれかに記載の映像発信装置における前記選択手段は、ネットワーク上に別途用意されているサーバ内の画像から選択することを特徴とする映像発信装置。
【請求項７】
所定のネットワークに接続され、当該ネットワーク上の映像発信装置からの映像データを受信し、表示する映像受信装置であって、
合成に用いる第１の映像データを受信する第１の受信手段と、
順次転送されてくる映像データを第２の映像データとして受信する第２の受信手段と、
受信した第２の映像データに前記第１の映像データを合成する合成手段とを有することを特徴とする映像受信装置。
【請求項８】
更に、前記第１の映像データを決定するために、複数の候補映像データを受信する候補映像受信手段と、
受信した候補映像データを一覧表示する一覧表示手段と、
一覧表示された中の所望とする映像を選択し、当該選択した映像の転送要求を前記発信装置に転送する手段と
を備えることを特徴とする請求項第７項に記載の映像受信装置。
【請求項９】
所定のネットワークに接続され、当該ネットワーク上の映像発信装置からの映像データを受信し、表示する映像受信装置であって、
前記映像発信装置との間の通信状況を検知する検知手段と、
得られた通信状況に応じて、合成に用いる複数の画像の中の１つを選択する選択手段と、
前記映像発信装置より受信した映像データと前記選択手段で選択した映像データとを合成する合成手段とを備え、
合成して得られた映像データを表示することを特徴とする映像受信装置。
【請求項１０】
所定のネットワークに接続され、当該ネットワーク上の映像発信装置からの映像データを受信し、表示する映像受信装置であって、
前記映像発信装置の状態情報を受信する状態情報受信手段と、
得られた状態情報に応じて、合成に用いる複数の画像の中の１つを選択する選択手段と、
前記映像発信装置から受信した映像データと前記選択手段で選択した映像データとを合成する合成手段と
を備えることを特徴とする映像受信装置。
【請求項１１】
映像データを所定のネットワークを介してクライアントに発信する映像発信装置の制御方法であって、
合成に用いる第１の映像データをサーバ或いはクライアントに関連して選択する選択工程と、
撮像して得られた映像データを第２の映像データとし、当該２の映像データと前記選択工程で選択された第１の映像データとを合成する合成工程とを備え、
前記合成工程で合成して得られた映像データを前記クライアントに向けて発信することを特徴とする映像発信装置の制御方法。
【請求項１２】
前記選択工程は、前記クライアントに向けて、選択可能な複数の映像サンプルを一覧として転送する工程を含み、前記クライアント側で指定されたサンプル画像を選択することを特徴とする請求項第１１項に記載の映像発信装置の制御方法。
【請求項１３】
映像データを所定のネットワークを介してクライアントに発信する映像発信装置の制御方法であって、
前記クライアントとの間の通信状況を検知する検知工程と、
得られた通信状況に応じて、合成に用いる複数の画像の中の１つを選択する選択工程と、
撮像して得られた映像データを第２の映像データとし、前記選択工程で選択された第１の映像データと合成する合成工程とを備え、
前記合成工程で合成して得られた映像データを前記クライアントに向けて発信することを特徴とする映像発信装置の制御方法。
【請求項１４】
映像データを所定のネットワークを介してクライアントに発信する映像発信装置の制御方法であって、
前記クライアントの状態を示す信号を発生する発生工程と、
得られたクライアント状態に応じて、合成に用いる複数の画像の中の１つを選択する選択工程と、
撮像して得られた映像データを第２の映像データとし、前記選択工程で選択された第１の映像データと合成する合成工程とを備え、
前記合成工程で合成して得られた映像データを前記クライアントに向けて発信することを特徴とする映像発信装置の制御方法。
【請求項１５】
請求項第１１項乃至第１４項のいずれかに記載の映像発信装置における前記選択工程は、ネットワーク上に別途用意されているサーバ内の画像から選択することを特徴とする映像発信装置の制御方法。
【請求項１６】
所定のネットワークに接続され、当該ネットワーク上の映像発信装置からの映像データを受信し、表示する映像受信装置の制御方法であって、
合成に用いる第１の映像データを受信する第１の受信工程と、
順次転送されてくる映像データを第２の映像データとして受信する第２の受信工程と、
受信した第２の映像データに前記第１の映像データを合成する合成工程と
を有することを特徴とする映像受信装置の制御方法。
【請求項１７】
更に、前記第１の映像データを決定するために、複数の候補映像データを受信する候補映像受信工程と、
受信した候補映像データを一覧表示する一覧表示工程と、
一覧表示された中の所望とする映像を選択し、当該選択した映像の転送要求を前記映像発信装置に転送する工程と
を備えることを特徴とする請求項第１６項に記載の映像受信装置の制御方法。
【請求項１８】
所定のネットワークに接続され、当該ネットワーク上の映像発信装置からの映像データを受信し、表示する映像受信装置の制御方法であって、
前記映像発信装置との間の通信状況を検知する検知工程と、
得られた通信状況に応じて、合成に用いる複数の画像の中の１つを選択する選択工程と、
前記映像発信装置より受信した映像データと前記選択工程で選択した映像データとを合成する合成工程とを備え、
合成して得られた映像データを表示することを特徴とする映像受信装置の制御方法。
【請求項１９】
所定のネットワークに接続され、当該ネットワーク上の映像発信装置からの映像データを受信し、表示する映像受信装置の制御方法であって、
前記映像発信装置の状態情報を受信する状態情報受信工程と、
得られた状態情報に応じて、合成に用いる複数の画像の中の１つを選択する選択工程と、
前記映像発信装置から受信した映像データと前記選択工程で選択した映像データとを合成する合成工程と
を備えることを特徴とする映像受信装置の制御方法。
【請求項２０】
コンピュータが読み込み実行することで、映像データを所定のネットワークを介してクライアントに発信する映像発信装置として機能するプログラムコードを格納した記憶媒体であって、
合成に用いる第１の映像データを選択する選択工程のプログラムコードと、
撮像して得られた映像データを第２の映像データとし、当該２の映像データと前記選択工程で選択された第１の映像データとを合成する合成工程のプログラムコードと
を備えることを特徴とする記憶媒体。
【請求項２１】
コンピュータが読み込み実行することで、映像データを所定のネットワークを介してクライアントに発信する映像発信装置として機能するプログラムコードを格納した記憶媒体であって、
前記クライアントとの間の通信状況を検知する検知工程のプログラムコードと、
得られた通信状況に応じて、合成に用いる複数の画像の中の１つを選択する選択工程のプログラムコードと、
撮像して得られた映像データを第２の映像データとし、前記選択工程で選択された第１の映像データと合成する合成工程のプログラムコードと
を備えることを特徴とする記憶媒体。
【請求項２２】
コンピュータが読み込み実行することで、映像データを所定のネットワークを介してクライアントに発信する映像発信装置として機能するプログラムコードを格納した記憶媒体であって、
前記クライアントの状態を検知する検知工程のプログラムコードと、
得られたクライアント状態に応じて、合成に用いる複数の画像の中の１つを選択する選択工程のプログラムコードと、
撮像して得られた映像データを第２の映像データとし、前記選択工程で選択された第１の映像データと合成する合成工程のプログラムコードと
を備えることを特徴とする記憶媒体。
【請求項２３】
コンピュータが読み込み実行することで、所定のネットワークに接続され、当該ネットワーク上の映像発信装置からの映像データを受信し、表示する映像受信装置として機能するプログラムコードを格納した記憶媒体であって、
合成に用いる第１の映像データを受信する第１の受信工程のプログラムコードと、
順次転送されてくる映像データを第２の映像データとして受信する第２の受信工程のプログラムコードと、
受信した第２の映像データに前記第１の映像データを合成する合成工程のプログラムコードと
を備えることを特徴とする記憶媒体。
【請求項２４】
コンピュータが読み込み実行することで、所定のネットワークに接続され、当該ネットワーク上の映像発信装置からの映像データを受信し、表示する映像受信装置として機能するプログラムコードを格納した記憶媒体であって、
前記映像発信装置との間の通信状況を検知する検知工程のプログラムコードと、
得られた通信状況に応じて、合成に用いる複数の画像の中の１つを選択する選択工程のプログラムコードと、
前記映像発信装置より受信した映像データと前記選択工程で選択した映像データとを合成する合成工程のプログラムコードと
を備えることを特徴とする記憶媒体。
【請求項２５】
コンピュータが読み込み実行することで、所定のネットワークに接続され、当該ネットワーク上の映像発信装置からの映像データを受信し、表示する映像受信装置として機能するプログラムコードを格納した記憶媒体であって、
前記映像発信装置の状態情報を受信する状態情報受信工程のプログラムコードと、
得られた状態情報に応じて、合成に用いる複数の画像の中の１つを選択する選択工程のプログラムコードと、
前記映像発信装置から受信した映像データと前記選択工程で選択した映像データとを合成する合成工程のプログラムコードと
を備えることを特徴とする記憶媒体。